(57)【要約】【課題】  十分に防犯効果を奏することができるとともにキーの紛失又は盗難時においても対応が比較的容易であり、且つ、管理者等による監視を容易に行い得るドアロック装置を提供する。【解決手段】  所定のＩＤコードを発信し得るトランスポンダ２ａを具備したキー２と、トランスポンダ２ａからのＩＤコードを受信するアンテナ５と、該アンテナ５で受信したＩＤコードが、予め記憶された正規のＩＤコードであるか否かを判定する判定手段１９と、該判定手段１９によりアンテナ５で受信したＩＤコードが正規のものであると判定されたことを条件として、ドアのロック機構を作動させて当該ドアを施錠又は解錠し得る作動部８及び連結手段７と、これら作動部８及び連結手段７によるドアの施錠又は解錠操作を監視し得るパソコン２１とを備えたドアロック装置である。【選択図】図１
2006070667.tif 000002
【特許請求の範囲】
【請求項１】
所定のＩＤコードを発信し得る発信手段を具備したキーと、
該キーの発信手段からのＩＤコードを受信する受信手段と、
該受信手段で受信したＩＤコードが、予め記憶された正規のＩＤコードであるか否かを判定する判定手段と、
該判定手段により前記受信手段で受信したＩＤコードが正規のものであると判定されたことを条件として、ドアのロック機構を作動させて当該ドアを施錠又は解錠し得るドアロック手段と、
該ドアロック手段によるドアの施錠又は解錠操作を監視し得る監視手段と、
を備えたことを特徴とするドアロック装置。
【請求項２】
前記監視手段は、正規のＩＤコードの追加登録又は消去を前記判定手段に行わせ得ることを特徴とする請求項１記載のドアロック装置。
【請求項３】
前記受信手段、判定手段及びドアロック手段は、複数のドアのそれぞれに配設されるとともに、前記監視手段は、各ドアの施錠又は解錠操作を一括して監視し得ることを特徴とする請求項１又は請求項２記載のドアロック装置。
【発明の詳細な説明】
【技術分野】
【０００１】
本発明は、ドアのロック機構を作動させて当該ドアを施錠又は解錠し得るドアロック装置に関するものである。
【背景技術】
【０００２】
一般に、パチンコ遊技機における開閉扉は、遊技者等第三者による不正行為の防止を図るため、メカキー（タンブラ等の作用により開閉動作させるメカ的機構によるキー）を用いたドアロック装置により施錠又は解錠がなされるよう構成されている。例えばパチンコ遊技機の枠体（木枠等）に鍵穴を形成しておき、該鍵穴に挿通したメカキーを所定方向へ回動させると、遊技盤を透視し得るガラス窓のロックが解除されるとともに、他の方向へ回動させると、枠体全体のロックが解除されるようになっている。尚、かかる先行技術は、文献公知発明に係るものでないため、記載すべき先行技術文献情報はない。
【発明の開示】
【発明が解決しようとする課題】
【０００３】
しかしながら、上記従来のドアロック装置においては、メカキーを用いるものであるため、鍵穴にキー状のもの（正規のキーではない）を差し込み、無理矢理回動することによりロック機構を破壊してロック解除が行われたり、或いはピッキングにより不正にロック解除が行われたりする虞があり、防犯上十分なものではなかった。また、パチンコ遊技機の如く１つのメカキーにより複数の開閉扉のロック解除が行えるものにあっては、そのメカキーの紛失や盗難があった場合、全てのパチンコ遊技機における鍵穴を交換しなくてはならなってしまうという不具合もあった。更に、ドアの施錠又は解錠操作を管理者等が常時把握することが困難であり、防犯の観点からも問題があった。
【０００４】
本発明は、このような事情に鑑みてなされたもので、十分に防犯効果を奏することができるとともにキーの紛失又は盗難時においても対応が比較的容易であり、且つ、管理者等による監視を容易に行い得るドアロック装置を提供することにある。
【課題を解決するための手段】
【０００５】
請求項１記載の発明は、所定のＩＤコードを発信し得る発信手段を具備したキーと、該キーの発信手段からのＩＤコードを受信する受信手段と、該受信手段で受信したＩＤコードが、予め記憶された正規のＩＤコードであるか否かを判定する判定手段と、該判定手段により前記受信手段で受信したＩＤコードが正規のものであると判定されたことを条件として、ドアのロック機構を作動させて当該ドアを施錠又は解錠し得るドアロック手段と、該ドアロック手段によるドアの施錠又は解錠操作を監視し得る監視手段とを備えたことを特徴とする。
【０００６】
請求項２記載の発明は、請求項１記載のドアロック装置において、前記監視手段は、正規のＩＤコードの追加登録又は消去を前記判定手段に行わせ得ることを特徴とする。
【０００７】
請求項３記載の発明は、請求項１又は請求項２記載のドアロック装置において、前記受信手段、判定手段及びドアロック手段は、複数のドアのそれぞれに配設されるとともに、前記監視手段は、各ドアの施錠又は解錠操作を一括して監視し得ることを特徴とする。
【発明の効果】
【０００８】
請求項１の発明によれば、ＩＤコードの送受信を行わせ、それに基づきロック機構によるドアの施錠又は解錠を可能としたので、メカキーによって施錠又は解錠を行わせるものに比べ、十分に防犯効果を奏することができるとともに、正規のＩＤコードを変更することによりキーの紛失又は盗難時においても対応が比較的容易である。また、監視手段によってドアの施錠又は解錠操作を監視し得るので、管理者等によるドアの管理を十分に行わせることができ、防犯効果を更に向上させることができる。
【０００９】
請求項２の発明によれば、監視手段は、正規のＩＤコードの追加登録又は消去を判定手段に行わせ得るので、ドアの管理者等による監視の下、正規のＩＤコードの追加登録又は削除を行わせることができ、防犯効果をより一層向上させることができる。
【００１０】
請求項３の発明によれば、監視手段が、複数のドアのそれぞれの施錠又は解錠操作を一括して監視し得るので、集中管理が可能となり、防犯効果、キーの紛失又は盗難時の対応の容易化を更に向上させることができる。
【発明を実施するための最良の形態】
【００１１】
以下、本発明の実施形態について図面を参照しながら具体的に説明する。
本実施形態に係るドアロック装置は、パチンコ遊技機のドア（開閉扉）のロック機構を作動させて当該ドア（ガラス窓又は枠体）を施錠し閉状態を維持させ得るとともに、解錠して当該ドアを開状態とさせ得るものであり、図１に示すように、パチンコ遊技機の枠体（開閉扉Ｄ）及びその内部に配設されたドアロック装置本体１及びユニット１７と、操作者が携帯し得るキー２と、ユニット１７と接続された監視手段としてのパソコン２１とから主に構成されている。
【００１２】
キー２は、図４に示すように、操作者が把持し得るマスコット部２ｂと、該マスコット部２ｂから円環状に延設されたキー部２ｃから主に成るとともに、所定のＩＤコードを電波にて発信し得るトランスポンダ２ａ（発信手段）をマスコット部２ｂの内部に具備したものである。かかるキー２におけるキー部２ｃは、ドアロック装置本体１に挿通される部位であり、その外周面には一対の凸部２ｃａが形成されている。
【００１３】
ドアロック装置本体１は、図２及び図３に示すように、略円筒状に形成され、その基端側には側方に延びる一対の鍔部１ａが形成されている。かかる鍔部１ａには複数のネジ孔１ａａが形成されており、これらネジ孔１ａａにネジ等を挿通することにより、ドアロック装置本体１をパチンコ遊技機の枠体（開閉扉Ｄ）等に固定し得るようになっている。かかるドアロック装置本体１には、ロータ３と、固定部材４と、連結手段７と、作動部８とが配設されている。尚、連結手段７と作動部８とは本発明のドアロック手段を構成している。
【００１４】
ロータ３は、図５に示すように、その上部の所定箇所を切り欠いて形成された一対の係合部３ａを有しており、該係合部３ａとキー部２ｃの凸部２ｃａとが係合し得るよう構成されている。これにより、係合部３ａに凸部２ｃａを係合させた状態にてキー２を回転させると、ロータ３が固定部材４の側面に沿って回転可能とされている。また、ロータ３における図３中下面には、嵌合穴３ｂが形成されており、かかる嵌合穴３ｂに後述する連結手段７の軸部材１１が嵌合されない状態においては、ロータ３が回転しても作動部８を連れ回しせず、単に空回りだけするようになっている。
【００１５】
固定部材４は、同図に示すように、ドアロック装置本体１内に固定された略円筒状部材から成り、内部に受信手段としてのアンテナ５を有している。かかるアンテナ５は、トランスポンダ２ａで発信された電波を受けて、そのＩＤコードを受信するためのものであり、受信したＩＤコードは、基板６を介して保持部材４の側面に形成された配線Ｈにより基板１５側へ伝達されるよう構成されている。
【００１６】
基板１５は、ドアロック装置本体１の基端側に配設されたもので、基板６を介してアンテナ５と電気的に接続されるとともに、コイル９とも接続されている。更に、基板１５からは配線が延設され、その先端は、図６に示すような、開閉扉Ｄ内部の所定位置に固定されたユニット１７と接続されている。かかるユニット１７は、略箱状部材から成り、その表面にはＩＤコードの追加登録時（後述する）に点滅し得るＬＥＤ１７ａが形成されている。
【００１７】
また、ユニット１７内には図示しない基板が配設されており、この基板には、図１に示すように、所定の回路及び素子（制御回路１８、判定手段１９及び記憶手段２０等）が形成されている。判定手段１７は、アンテナ５から受信したＩＤコードが送信され、そのＩＤコードが記憶手段２０に予め記憶された正規のものであるか否かを判定するためのもので、制御回路１８を介してドアロック装置本体１側の基板１５と電気的に接続されている。
【００１８】
然るに、アンテナ５から送信されたＩＤコードが、記憶手段２０に予め記憶された正規のものであると判定手段１７が判定すると、制御手段１８に所定の信号を送り、基板１５を介してコイル９に通電させ得るよう構成されている。更に、判定手段１７は、遠隔の場所（例えば、管理室等）に設置された監視手段としてのパソコン２１（パーソナルコンピュータ）と電気的に接続されており、かかるパソコン２１により、ドア（開閉扉Ｄ）の施錠又は解錠操作を監視し得るよう構成されている。
【００１９】
即ち、判定手段１７がＩＤコードの判定、及びコイル９への通電指示を行っているため、これらの情報を常時パソコン２１側に送信するようにすれば、ドア（開閉扉Ｄ）の現在の解錠又は施錠状態、過去の操作履歴（何時に操作があったか等）、不正なキー（発信されるＩＤコードが正規のものでないもの）によるアクセスがあったか否か等を監視することができるのである。
【００２０】
また、パソコン２１は、正規のＩＤコードの追加登録又は削除を判定手段１９に行わせ得るよう構成されている。例えば、正規のＩＤコードの追加登録を行うには、パソコン２１から所定の制御信号を送信し、ユニット１７を追加登録モードとしてＬＥＤ１７ａを点滅させる。かかる状態において、操作者が追加したいキー２をドアロック装置本体１に近接させると、そのトランスポンダ２ａから発信される新規のＩＤコードがアンテナ５で受信され、基板１５を介してユニット１７側に送信される。ユニット１７側に送信された新規のＩＤコードは、記憶手段２０に記憶され、判定手段１９にて判定されるべき正規のＩＤコードとして登録される。
【００２１】
一方、既に登録済みのＩＤコード（複数登録されたＩＤコードのうち全て又は一部を含む）を削除するには、パソコン２１から所定の制御信号を送信し、記憶手段２０に記憶されたＩＤコードを消去することにより行われる。これにより、例えばキー２の紛失又は盗難があった際、パソコン２１を操作して、そのＩＤコードのみを削除すれば足り、従来の如くメカキーを用いていたものに比べ、対応が迅速且つ容易に行える。尚、ユニット１７から２本の配線を延設しておき、これら配線を接続して短絡させることにより、当該ユニットを追加登録モードとして新規のＩＤコードを登録し得るよう構成してもよい。
【００２２】
ドアロック手段を構成する作動部８は、回転軸１６を中心に回転可能とされ、回転によりドア（回転扉Ｄ）が具備するロック機構を作動させて当該ドアの施錠又は解錠を行わせるもので、図７に示すように、一対の腕部８ａ及び８ｂが形成されている。これら腕部８ａ及び８ｂには、それぞれロック機構の一部であるリンクＲ１及びＲ２が当接されており、作動部８が同図ａ方向に回転すると、腕部８ａによりリンクＲ１が作動し、例えばパチンコ遊技機のガラス窓の解錠又は解錠を行わせるとともに、作動部８が同図ｂ方向に回転すると、腕部８ｂによりリンクＲ２が作動し、例えばパチンコ遊技機の枠体全体の施錠又は解錠を行わせることができるよう構成されている。
【００２３】
ドアロック手段を構成する連結手段７は、判定手段１７によりアンテナ５で受信したＩＤコードが正規のものと判定したことを条件として、ロータ３と作動部８とを連結させ、キー２の回転操作を作動部８に伝達させるものであり、作動部８側に配設されたコイル９と、該コイル９内に配設された軸部材１１及び動作部材１２とを有している。コイル９は、ヨーク１０に巻着されて成り、図３に示すように、該ヨーク１０内に磁性体から成る軸部材１１及び非磁性体から成る動作部材１２が一体的化されつつ配設されている。
【００２４】
動作部材１２には、その底面から軸方向に延びる挿通穴が形成されており、該挿通穴に回転軸１６の上端側が挿通されている。かかる回転軸１６の上端側は、断面形状が小判型とされ、挿通穴の内周壁の形状と合致して嵌合しており、動作部材１２の回転力が回転軸１６へ伝達されるとともに、挿通穴内での回転軸１６の上下方向の摺動を許容し得るよう構成されている。
【００２５】
更に、ヨーク１０の上部には、軸部材１１を挿通した挿通部材１４が配設されており、かかる挿通部材１４により当該軸部材１１のコイル９に対する出没動作を案内するよう構成されている。また、挿通部材１４と動作部材１２との間には、同図の如くスプリング１３が配設されており、当該動作部材１２及び軸部材１１が常時下方へ付勢されるよう構成されている。
【００２６】
上記構成により、判定手段１７にてアンテナ５で受信したＩＤコードが正規のものであると判定されると、コイル９に対して通電して電流を流し、生じた磁力が軸部材１１に及ぼされる。かかる磁力により、軸部材１１及びこれと一体化された動作部材１２がスプリング１３の付勢力に抗して同図中上方へ移動し、軸部材１１の先端が挿通部材１４から突出するとともにロータ３の嵌合穴３ｂに嵌合して、当該ロータ３と作動部８とが連結されることとなる。
【００２７】
即ち、軸部材１１の先端側は、その断面形状が小判型に形成されており、嵌合穴３ｂの内周壁の形状と合致するよう構成されているので、両者が連結した状態においては、キー２を所定方向へ回転させてロータ３を回転させると、その回転力が軸部材１１及び動作部材１２に伝達され、これら部材が回転することとなる。これにより、回転軸１６を介して作動部８も回転することとなり、既述の如くロック機構を作動させてドア（開閉扉Ｄ）の施錠又は解錠を行わせることができる。
【００２８】
尚、アンテナ５にて受信したＩＤコードが正規のものでないと判定手段１７が判定した場合は、コイル９への通電が行われず、ロータ３と作動部８との連結がなされないので、キー２を回転させてロータ３を回転させても、その回転力が作動部８側に伝達されず、空回りするのみとなる。従って、従来のメカキーを用いたものに比べ、防犯効果を向上させることができる。
【００２９】
一方、ドア（開閉扉Ｄ）の施錠又は解錠を行った後、キー２をドアロック装置本体１から遠ざけてトランスポンダ２ａから発信されるＩＤコードがアンテナ５に到達し得なくなると、コイル９への通電が遮断されるよう構成されており、これにより軸部材１１及び動作部材１２がスプリング１３の付勢力により初期状態（軸部材１１の先端が挿通部材１４に没入した状態）に戻り、ロータ３と作動部８との連結が解除されることとなる。
【００３０】
上記ドアロック装置によれば、ＩＤコードの送受信によりロータ３と作動部８とを連結させてロック機構によるドア（開閉扉Ｄ）の施錠又は解錠を可能としたので、メカキーによって施錠又は解錠を行わせるものに比べ、十分に防犯効果を奏することができるとともに、正規のＩＤコードを変更することによりキーの紛失又は盗難時においても対応が比較的容易である。
【００３１】
また、連結手段７は、突出した軸部材１１がロータ３に嵌合することによりロータ３と作動部８とを連結させ、キー２の回転操作によりドアの施錠又は解錠を可能としたので、構成が簡単で且つ確実な施錠又は解錠操作を行わせることができる。更に、受信手段としてのアンテナ５がドアロック装置本体１の略中央上部に配設された固定部材４内に形成されているので、ロータ３に係合したキー２のトランスポンダ２ａと対向する位置となり、当該トランスポンダ２ａから微弱な電波等によりＩＤコードの送信が行われても、そのＩＤコードを確実に受信することができる。
【００３２】
更に、本実施形態においては、パソコン２１によってドア（開閉扉Ｄ）の施錠又は解錠操作を監視し得るので、管理者等によるドアの管理を十分に行わせることができ、防犯効果を更に向上させることができる。また、複数のパチンコ遊技機の各開閉扉Ｄの施錠又は解錠操作を一括して監視し得るので、集中管理が可能となり、防犯効果、キーの紛失又は盗難時の対応の容易化を更に向上させることができる。尚、監視手段としてのパソコン２１は、正規のＩＤコードの追加登録又は消去を判定手段に行わせ得るので、ドアの管理者等による監視の下、正規のＩＤコードの追加登録又は削除を行わせることができ、防犯効果をより一層向上させることができる。
【００３３】
以上、本実施形態に係るドアロック装置について説明したが、本発明はこれに限定されるものではなく、例えばパチンコ遊技機のドア（ガラス窓や枠体全体から成る開閉扉）の他、キーの左方向及び右方向の回転操作により施錠又は解錠対象が異なるスロットルマシン等のドア（開閉扉）に適用してもよい。また、キーを一方向に回転させて所定のドアの施錠又は解錠を行わせるものであってもよく、その場合、キャッシュレジスタ、ロッカー或いは宅配ボックス等、セキュリティーの必要なドアに適用することができる。
【００３４】
更に、本実施形態に係る監視手段は、パソコン２１で構成しているが、開閉扉Ｄの施錠又は解錠操作を監視し得るものであれば、他の装置（単に施錠又は解錠状態を表示する表示手段等）を用いるようにしてもよい。また更に、本実施形態に係るドアロック装置本体１は、連結手段７によりロータ３と動作部８とを連結し、キー２の操作を伝達可能としているが、他の機構（例えば正規のＩＤコードの受信がないとき、ロータの回転動作を規制した構成のもの等）としてもよい。尚、本実施形態に係る発信手段はトランスポンダから成り、電波にてＩＤコードを送信し得るものであるが、これに代えて赤外線等遠隔的に電子情報を送信し得るものとしてもよい。
【産業上の利用可能性】
【００３５】
ＩＤコードの送受にて行われるドアロック手段によるドアの施錠又は解錠操作を監視し得る監視手段を具備したドアロック装置であれば、外観形状が異なるもの或いは他の機能が付加されたものにも適用することができる。
【図面の簡単な説明】
【００３６】
【図１】本発明の実施形態に係るドアロック装置の全体構成を示すブロック図
【図２】同ドアロック装置におけるドアロック装置本体を示す全体斜視図
【図３】同ドアロック装置本体及びキーを示す縦断面図
【図４】同ドアロック装置におけるキーを示す底面図及び側面図
【図５】同ドアロック装置本体における筐体部を取り外して内部構成を示す斜視図
【図６】同ドアロック装置におけるユニットを示す斜視図
【図７】同ドアロック装置本体における作動部を示す底面図
【符号の説明】
【００３７】
１    ドアロック装置本体
２    キー
２ａ  トランスポンダ（発信手段）
３    ロータ
４    固定部材
５    アンテナ（受信手段）
６    基板
７    連結手段
８    作動部
９    コイル
１０  ヨーク
１１  軸部材
１２  動作部材
１３  スプリング
１４  挿通部材
１５  基板
１６  回転軸
１７  ユニット
１８  制御回路
１９  判定手段
２０  記憶手段
２１パソコン（監視手段）
【図１】
2006070667.tif 000003
【図２】
2006070667.tif 000004
【図３】
2006070667.tif 000005
【図４】
2006070667.tif 000006
【図５】
2006070667.tif 000007
【図６】
2006070667.tif 000008
【図７】
2006070667.tif 000009